(57)【要約】【課題】画像形成装置において、レーザ光の照射角度の調整が容易に行い、しかも感光体ドラムとレーザスキャナユニットとの相対的距離を一定に保つ。【解決手段】画像形成装置は、所定の方向に回転駆動されて静電潜像が形成される感光体ドラム４３を備える感光体ユニットと、画像データに応じてレーザ光を、感光体ドラムの回転方向に直交する方向に走査して感光体ドラム上に静電潜像を形成するレーザスキャナユニットとを有している。レーザスキャナユニットのフレーム３１には感光体ドラムの回転軸４３ａを受ける受け部５１が形成されており、感光体ユニットをレーザスキャナユニットの方向に押圧して、感光体ドラムの回転軸を受け部に圧接して、これによって、感光体ドラムの回転軸を基準としてレーザスキャナユニットの位置決めを行う。【選択図】      図３
2004226585.tif 000002
【特許請求の範囲】
【請求項１】
所定の方向に回転駆動されて静電潜像が形成される感光体を備える感光体ユニットと、画像データに応じてレーザ光を前記感光体の回転方向に直交する方向に走査して前記感光体上に前記静電潜像を形成するレーザスキャナユニットとを備え、前記静電潜像を現像して画像を得るようにした画像形成装置において、
前記レーザスキャナユニットには、前記感光体の回転軸を受ける受け部が一体に形成されており、
前記感光体ユニットを前記レーザスキャナユニットの方向に押圧して前記感光体の回転軸を前記受け部に圧接する押圧手段を有し、
前記感光体の回転軸を基準として前記レーザスキャナユニットの位置決めを行うようにしたことを特徴とする画像形成装置。
【請求項２】
前記押圧手段は、前記画像形成装置の筐体に取り付けられた付勢部材と、前記付勢部材によって付勢され前記感光体ユニットを前記レーザスキャナユニットの方向に押圧するとともに前記感光体ユニットをロックするロック機構手段とを有することを特徴とする請求項１に記載の画像形成装置。
【請求項３】
前記レーザスキャナユニットは、少なくともポリゴンミラーと前記レーザ光の伝搬方向において該ポリゴンミラーの下流側に配置された第１及び第２のｆ−θレンズを有し、
前記レーザスキャナユニット内に配置され前記レーザスキャナユニットから前記レーザ光を出射して該レーザ光を前記感光体に照射する照射手段を備えて、
前記ポリゴンミラーで反射したレーザ光が結像する位置と前記ポリゴンミラーの反射点とで規定される距離に応じて前記照射手段の前記レーザスキャナユニット内における配置位置を、前記照射手段と前記感光体との相対的距離が近接する位置に規定するようにしたことを特徴とする請求項１又は２に記載の画像形成装置。
【請求項４】
前記レーザスキャナユニットの筐体は、第１の室と該第１の室の下側に配置された第２の室とを備え、
前記ポリゴンミラー及び前記第１及び前記第２のｆ−θレンズを前記第１の室に配置するとともに、前記照射手段である反射ミラーが前記第２の室に配置されており、
前記第２のｆ−θレンズからのレーザ光を前記第１の室から前記第２の室に導くとともに前記反射ミラーに与えるレーザ光案内手段が前記レーザスキャナユニットの筐体内に備えられていることを特徴とする請求項３に記載の画像形成装置。
【請求項５】
前記レーザ光案内手段は、前記第２のｆ−θレンズの下流側において前記第１の室に配置された第１の反射ミラーと、前記第２の室に配置され前記第１の反射ミラーで反射された前記レーザ光を反射して前記反射ミラーに与える第２の反射ミラーとを有することを特徴とする請求項４に記載の画像形成装置。
【発明の詳細な説明】
【０００１】
【発明の属する技術分野】
本発明は電子写真プロセスを用いた画像形成装置に関し、特に、露光ユニットとしてレーザスキャナユニットを用いた画像形成装置に関するものである。
【０００２】
【従来の技術】
一般に、画像形成装置（例えば、レーザプリンタ及び複写機）では、所定の方向に回転駆動されて静電潜像が形成される感光体ドラムを備える感光体ユニットを備えて、レーザスキャナユニット（以下ＬＳＵと呼ぶ）によって、画像データに応じてレーザ光を感光体ドラムの回転方向に直交する方向に走査して感光体ドラム上に静電潜像を形成し、この静電潜像を現像して画像を得るようにしている。このようなＬＳＵとして、例えば、図７に示すＬＳＵが用いられている。図示のＬＳＵでは、ＡＰＣ基板１１上にレーザダイオード（図示せず）が実装され、このレーザダイオードから発振したレーザ光が、コリメートレンズ１２及びシリンドリカルレンズ１３を介してポリゴンミラー（例えば、正五角形又は正六角形のポリゴンミラー：図示の例では正六角形である）１４に与えられる。
【０００３】
ポリゴンミラー１４によってレーザ光を走査して、ｆ−θレンズ１５及び１６、そして、反射ミラー１７を介して、レーザ光を感光体ドラム（図示せず）上に結像して、感光体ドラム上に静電潜像を形成する。その後、感光体ドラム上の静電潜像は現像器（図示せず）で現像されて、トナー像となり、このトナー像が、例えば、記録用紙に転写される。
【０００４】
なお、上述のＡＰＣ基板１１は、例えば、ＬＳＵ筐体（フレーム）１８の側面に取り付けられ、コリメートレンズ１２、シリンドリカルレンズ１３、ポリゴンミラー１４、及びｆ−θレンズ１５及び１６は、フレーム１８の一面（底面）に配置され、同様に、フレーム１８の底面に配置された反射ミラー１７から開口部１７ａを通ってレーザ光が出射される。
【０００５】
感光体ドラム上に結像されるレーザ光のスポット径は、画像データに応じて指定された大きさにする必要があり、このためには、ＬＳＵと感光体ドラムとの相対的な距離及びレーザ光がＬＳＵから出射される際の感光体ドラムへの照射角度を一定とする必要がある。この関係が崩れると、レーザ光のスポット径が、感光体ドラム上の画像形成領域において、指定された大きさを保てず、ばらついたり又は大きくなったりすると、転写後の画像に色むら等の画像不良が生じることがある。
【０００６】
一方、ポリゴンスキャナモータを含むＬＳＵのフレームに感光体ドラムを支持する感光体ドラム保持部を一体に成形して、感光体ドラムをポリゴンスキャナモータの振動に共振させて、レーザ光と感光体ドラムとが相対的に位置変化しない状態とすることが行われている（特許文献１参照）。
【０００７】
【特許文献１】
特開平１１−３１４４０４号公報（段落（００１３）〜（００１６）、第２図）
【０００８】
【発明が解決しようとする課題】
ところで、前述のＬＳＵ２０は、例えば、図８に示すように、画像形成装置の本体フレーム２１及び補助フレーム２２に、３点又は４点のビス締め等によって締結固定されており、同様に、感光体ドラム（図示せず）も本体フレーム２１に設けられた位置決めによって保持されている。
【０００９】
この結果、ＬＳＵ２０と感光体ドラムとの相対的な距離は、本体フレーム及び補助フレームに影響されることになって、例えば、３点支持固定の場合には、本体フレーム２１と補助フレーム２２とが組み立てられた状態で３点支持固定による平面度及び感光体ドラムとの距離が所定の距離に保たれているか等の位置決め精度が必要となる。一方、本体フレーム２１のみでＬＳＵを支持固定する際においても同様である。
【００１０】
言い換えると、ＬＳＵと感光体ドラムユニットとの間には、少なくとも本体フレームにおけるＬＳＵの支持、感光体ドラムの支持等の支持部が存在して、これら支持部によって位置精度がばらつくことが多く、ＬＳＵと感光体ドラムとの相対的な距離を精度よく設定することが難しい。
【００１１】
一方、特許文献１では、ＬＳＵと感光体ドラムとを一体化して、振動に起因する画像不良を防止して、感光体ドラムとＬＳＵとの相対的距離を所定の距離に保っているものの、ＬＳＵから出射されるレーザ光が感光体ドラムに照射される際の照射角度を調整することができず、照射角度にばらつきが発生すると光路差が発生してしまうという課題がある。
【００１２】
本発明の目的は、照射角度の調整が容易に行えて、しかも感光体ドラムとＬＳＵとの相対的距離を一定に保つことができる画像形成装置を提供することにある。
【００１３】
【課題を解決するための手段】
本発明によれば、所定の方向に回転駆動されて静電潜像が形成される感光体を備える感光体ユニットと、画像データに応じてレーザ光を前記感光体の回転方向に直交する方向に走査して前記感光体上に前記静電潜像を形成するレーザスキャナユニットとを備え、前記静電潜像を現像して画像を得るようにした画像形成装置において、前記レーザスキャナユニットには前記感光体の回転軸を受ける受け部が一体に形成されており、前記感光体ユニットを前記レーザスキャナユニットの方向に押圧して前記感光体の回転軸を前記受け部に圧接する押圧手段とを有し、前記感光体の回転軸を基準として前記レーザスキャナユニットの位置決めを行うようにしたことを特徴とする画像形成装置が得られる。
【００１４】
このようにして、レーザスキャナユニットに感光体の回転軸を受ける受け部を一体に形成し、感光体ユニットをレーザスキャナユニットの方向に押圧して感光体の回転軸を受け部に圧接し、該感光体の回転軸を基準としてレーザスキャナユニットの位置決めを行うようにすれば、感光体とレーザスキャナユニットとの位置決めが極めて容易となり、その結果、感光体とレーザスキャナユニットとの相対的位置関係を精度良く適切に設定することができることになり、しかもレーザスキャナユニットは感光体の回転軸回りに回転可能であるから、感光体とレーザスキャナユニットとの位置関係を容易に微調整できる。
【００１５】
例えば、前記押圧手段は、前記画像形成装置の筐体に取り付けられた付勢部材と、前記付勢部材によって付勢され前記感光体ユニットを前記レーザスキャナユニットの方向に押圧するとともに前記感光体ユニットにロックされるロック機構手段とを有している。
【００１６】
このように、付勢部材を画像形成装置の筐体に取り付けて、この付勢部材に付勢されて感光体ユニットをレーザスキャナユニットの方向に押圧するとともに感光体ユニットをロックするロック機構を備えるようにすれば、極めて簡単に感光体ユニットを画像形成装置筐体に取り付けて、しかもその回転軸をレーザスキャナユニットの受け部に圧接して位置決めを行うことができることになる。
【００１７】
さらに、本発明では、前記レーザスキャナユニットは、少なくともポリゴンミラーと前記レーザ光の伝搬方向において該ポリゴンミラーの下流側に配置された第１及び第２のｆ−θレンズを有し、前記レーザスキャナユニット内に配置され前記レーザスキャナユニットから前記レーザ光を出射して該レーザ光を前記感光体に照射する照射手段とを備えて、前記ポリゴンミラーで反射したレーザ光が結像する位置と前記ポリゴンミラーの反射点とで規定される距離に応じて前記照射手段の前記レーザスキャナユニット内における配置位置を、前記照射手段と前記感光体との相対的距離が近接する位置に規定するようにしている。
【００１８】
このように、ポリゴンミラーで反射したレーザ光が結像する位置とポリゴンミラーの反射点とで規定される距離に応じて、レーザスキャナユニットからレーザ光を出射してレーザ光を感光体に照射する照射手段（例えば、反射ミラー）のレーザスキャナユニット内における配置位置を、照射手段と感光体との相対的距離が近接する位置に規定するようにすれば、たとえ、レーザスキャナユニットと感光体との配置に設計値からのずれが生じたとしても、その光路差にほとんど変化がなく、極めて容易に組み立て作業を行うことができることになる。
【００１９】
例えば、前記レーザスキャナユニットの筐体は、第１の室と該第１の室の下側に配置された第２の室とを備え、前記ポリゴンミラー及び前記第１及び前記第２のｆ−θレンズを前記第１の室に配置するとともに、前記照射手段である反射ミラーが前記第２の室に配置されており、前記第２のｆ−θレンズからのレーザ光を前記第１の室から前記第２の室に導くとともに前記反射ミラーに与えるレーザ光案内手段が前記レーザスキャナユニットの筐体内に備えられており、前記レーザ光案内手段は前記第２のｆ−θレンズの下流側において前記第１の室に配置された第１の反射ミラーと、前記第２の室に配置され前記第１の反射ミラーで反射された前記レーザ光を反射して前記反射ミラーに与える第２の反射ミラーとを有している。
【００２０】
このようにして、レーザスキャナユニットの筐体を、第１の室と第１の室の下側に配置された第２の室とに別けて、ポリゴンミラー及び第１及び第２のｆ−θレンズを第１の室に配置するとともに、照射手段である反射ミラーを第２の室に配置して、第２のｆ−θレンズからのレーザ光を第１の室から第２の室に導くとともに反射ミラーに与えるようにすれば、レーザスキャナユニット内でポリゴンミラーの反射点から反射ミラーまでの距離を、レーザスキャナユニット筐体を長さを長くすることなく、大きくすることができ、これによって、反射ミラーと感光体との距離を短くして、レーザスキャナユニットを感光体に近接できることになる。
【００２１】
【発明の実施の形態】
以下、本発明の実施の形態について図面を参照して説明する。但し、この実施の形態に記載されている構成部品の寸法、材質、形状、その相対配置などは特に特定的な記載がない限り、この発明の範囲をそれのみに限定する趣旨ではなく、単なる説明例にすぎない。
【００２２】
まず、図１を参照して、いま、ポリゴンミラー１４の反射点Ｐからｆ−θレンズ１５（第１のレンズ１５）及びｆ−θレンズ１６（第２のレンズ１６）を介して像が形成される面（Ｑ）までの距離をｆとすると、この距離ｆは所定の値であり、距離ｆは光学設計の際、予め規定された距離であり、この距離ｆから外れることがないようにＬＳＵと感光体ドラムとの相対的距離を保つ必要がある。
【００２３】
ここで、図２を参照して、ＬＳＵフレーム３１は側壁３１ａと側壁３１ａの中央部で区切る仕切壁３１ｃとを有し、この仕切壁３１ｃによって仕切壁３１ｃの上側には第１の室３２が規定され、仕切壁３１ｃの下側には第２の室３３が規定される。そして、仕切壁３１ｃには、図中右側の側壁３１ａよりに開口部３４が形成されている。
【００２４】
第１の室３２には、ポリゴンモータ３５、ポリゴンミラー１４、第１及び第２のレンズ１５及び１６、第１の反射ミラー３６が配置され、第２の室３３には、第２の反射ミラー３７及び反射ミラー１７が配置されて、第１の室３２は上カバー４１で閉塞され、第２の室は下カバー４２で閉塞される。なお、下カバー４２には開口部４２ａが形成され、反射ミラー１７は開口部４２ａを介して感光体ドラム４３の表面に臨んでいる。
【００２５】
第１の室３２内において、仕切壁３１ｃ上にはポリゴンモータ３５が配置され、このポリゴンモータ３５にはポリゴンミラー１４が連結されている。ポリゴンミラー１４で反射されたレーザ光の下流側には、第１及び第２のレンズ１５及び１６が配置され、第２のレンズ１６の下流側には、第１の反射ミラー３６が配置されている。
【００２６】
第１の反射ミラー３６で反射されたレーザ光は開口部３４を通過して、第２の反射ミラー３７で仕切壁３１ｃと平行な光として反射される。そして、第２の反射ミラー３７で反射されたレーザ光は反射ミラー１７（照射手段）で反射して、ＬＳＵから出射されて感光体ドラム４３を露光する（感光体ドラム４３上に結像する）。なお、第１及び第２の反射ミラー３６及び３７によって、レーザ光案内手段が構成される。
【００２７】
図示の例では、第１及び第２の室３２及び３３を形成して、第２のレンズ１６の下流側に配置された第１の反射ミラー３６でレーザ光を反射して、第２の室に配置された第２の反射ミラー３７でさらにレーザ光を反射して、最終的に反射ミラー１７で反射されたレーザ光で感光体ドラム４３を露光しているから、つまり、第１の室３２から第２の室３３にわたってレーザ光を反射させているから、前述の距離ｆを設定する際、ＬＳＵ内でレーザ光が伝搬する距離が長くなって、結果的に、感光体ドラム４３と反射ミラー１７との距離を接近させることができることになる。
【００２８】
ここで、図３を参照すると、ＬＳＵフレーム３１の互いに対向する側壁３１ａに所定の間隔をおいて一対のリブ部材（受け部）５１を一体に取り付け、このリブ部材５１の下端面には、感光体ドラム４３の回転軸体（シャフト）４３ａを受ける半円状の溝部が回転軸体４３ａの延在方向に延びて形成されている。そして、この溝部には、後述するようにして、感光体ドラム４３の回転軸体４３ａが受入される。
【００２９】
図４も参照して、前述のように、ＬＳＵフレーム３１に一体に形成されたリブ部材５１の下端面には、半円状の溝部５１ａが形成されている。一方、感光体ドラム４３（図４には示さず）はドラムユニット（感光体ユニット）に装着される。ドラムユニットフレーム５２には、矩形状の凹部５２ａが形成されており、この凹部５２ａにロック機構部材５３が嵌合される。
【００３０】
このロック機構部材５３は、画像形成装置本体５４にその一端が取り付けられたバネ部材（圧接バネ部材）５５に取り付けられて、図中実線矢印で示す方向に押圧される。この結果、ドラムユニットフレーム５２、つまり、感光体ドラム４３が実線矢印で示す方向に押圧されることになって、感光体ドラム４３の回転軸体４３ａが溝部５１ａの半円状の底面に圧接されることになる。なお、バネ部材５５、凹部５２ａ、及びロック機構部材５３によってロック機構が構成される。
【００３１】
一方、ＬＳＵフレーム３１は、感光体ドラム４３の回転軸体４３ａを回転軸として回転可能であるから、感光体ドラム４３の表面とＬＳＵから出射されるレーザ光との照射角度を、ＬＳＵフレーム３１を回転軸体４３ａ回りに回転することによって、微調整することができ、製造工程において、上述のようにして、照射角度を微調整すれば、極めて簡単に照射角度を所望の角度に設定することができる。そして、このようして、照射角度を微調整した後、ＬＳＵフレーム３１を画像形成装置本体５４に固定するようにすればよい。
【００３２】
つまり、ＬＳＵフレーム３１と感光体ドラム４３との位置決めの際には、ロック機構部材５３をバネ部材５５によって支持して、前述の凹部５２ａにロック機構部材５３を嵌め込んだ際、ＬＳＵフレーム３１と感光体ドラム４３との位置が規定され（ロックされ）、感光体ドラム４３の回転軸体４３ａが実質的にＬＳＵフレーム３１に圧接されることになる。
【００３３】
いま、図５に示すＬＳＵにおいて（図５に示すＬＳＵは図７に示すＬＳＵの断面を示す図である）、反射ミラー１７から感光体ドラム４３の表面までの距離をＦａとし、例えば、ＬＳＵを画像形成装置本体に取り付けた際、その設計値よりも角度αだけ傾いて取り付けたとする。
【００３４】
図６を参照すると、いま設計値による光路を実線▲１▼で示し、角度α傾いた状態の光路を破線▲２▼で示すと、前述のように、設計値による反射ミラー１７から感光体ドラム４３の表面までの距離（以下第１の距離と呼ぶ）はＦａであるから、角度α傾いた状態における反射ミラー１７から感光体ドラム４３の表面までの距離（以下第２の距離と呼ぶ）をＦｂとすると、Ｆｂ≒Ｆａ／ｃｏｓαで表すことができる（なお、ここでは、角度αは微小な角度である）。
【００３５】
ｃｏｓαは角度αが大きくなるにつれて、減少するから、角度（はずれ角）αが大きくなると、第２の距離Ｆｂは大きくなることになって、はずれ角αの変化につれて、第２の距離Ｆｂも変化する。
【００３６】
ここで再び図２及び図３を参照すると、図示のＬＳＵでは、前述のように、反射ミラー１７と感光体ドラム４３との距離を極めて短く設定でき、しかも、感光体ドラム４３の回転軸体４３ａがＬＳＵフレーム３１に一体に取り付けられたリブ部材５１に圧接されているから、感光体ドラム４３と反射ミラーとの位置関係を容易に微調整できる（つまり、はずれ角αを調整できる）ことになって、第１の距離Ｆａは極めて短いから、たとえ、はずれ角αが存在しても、第２の距離Ｆｂをほぼ第１の距離Ｆａに規定することができることになる。
【００３７】
例えば、図２及び図３に示すＬＳＵにおいて、図５に示すＬＳＵに比べて、第１の距離Ｆａが０．３倍であるとすると、つまり、図２及び図３に示すＬＳＵにおいては、反射ミラー１７から感光体ドラム４３の表面までの距離が０．３Ｆａであるとすると、Ｆｂ≒０．３Ｆａ／ｃｏｓαとなる。
【００３８】
図５に示すＬＳＵの光路差（▲１▼の光路と▲２▼の光路との差）ΔＦａは、ΔＦａ≒Ｆａ／ｃｏｓα−Ｆａであるのに対して、図２及び図３に示すＬＳＵでは、その光路差ΔＦａ’は、ΔＦａ’≒０．３Ｆａ／ｃｏｓα−０．３Ｆａ＝０．３（Ｆａ／ｃｏｓα−Ｆａ）となって、光路差が０．３倍となることが分かる。つまり、図２及び図３に示すＬＳＵでは、感光体ドラムとの相対的な位置関係の精度が向上できることになる。
【００３９】
さらに、上述のように、ＬＳＵフレーム３１に一体に取り付けられたリブ部材５１に感光体ドラム４３の回転軸体を圧接するようにしたから、感光体ドラムの周囲に配置されるプロセスユニット（例えば、帯電器、現像器、クリーニングユニット等）を配置した後、前述のようにして、ＬＳＵと感光体ドラムの位置決めを行えばよく、極めて簡単に組み立てを行うことができることになる。
【００４０】
【発明の効果】
以上説明したように、本発明によれば、レーザスキャナユニットに感光体の回転軸を受ける受け部を一体に形成し、感光体ユニットをレーザスキャナユニットの方向に押圧して感光体の回転軸を受け部に圧接し、感光体の回転軸を基準としてレーザスキャナユニットの位置決めを行うようにしたから、感光体とレーザスキャナユニットとの位置決めが極めて容易となり、その結果、感光体とレーザスキャナユニットとの相対的位置関係を精度良く適切に設定することができるという効果がある。そして、レーザスキャナユニットは感光体の回転軸回りに回転可能であるから、感光体とレーザスキャナユニットとの位置関係を容易に微調整できるという効果もある。
【００４１】
本発明では、付勢部材を画像形成装置の筐体に取り付けて、この付勢部材に付勢されて感光体ユニットをレーザスキャナユニットの方向に押圧するとともに感光体ユニットをロックするロック機構を備えているから、極めて簡単に感光体ユニットを画像形成装置筐体に取り付けてしかもその回転軸をレーザスキャナユニットの受け部に圧接して位置決めを行うことができるという効果がある。
【００４２】
さらに、本発明では、ポリゴンミラーで反射したレーザ光が結像する位置とポリゴンミラーの反射点とで規定される距離に応じて、レーザスキャナユニットからレーザ光を出射してレーザ光を感光体に照射する照射手段（例えば、反射ミラー）のレーザスキャナユニット内における配置位置を、照射手段と感光体との相対的距離が近接する位置に規定するようにしたから、たとえ、レーザスキャナユニットと感光体との配置に設計値からのずれが生じたとしても、その光路差にほとんど変化がなく、極めて容易に組み立て作業を行うことができるという効果がある。
【００４３】
本発明では、レーザスキャナユニットの筐体を、第１の室と第１の室の下側に配置された第２の室とに別けて、ポリゴンミラー及び第１及び第２のｆ−θレンズを第１の室に配置するとともに、照射手段である反射ミラーを第２の室に配置して、第２のｆ−θレンズからのレーザ光を第１の室から第２の室に導くとともに反射ミラーに与えるようにしたから、レーザスキャナユニット内でポリゴンミラーの反射点から反射ミラーまでの距離をレーザスキャナユニット筐体の長さを長くすることなく、大きくすることができ、その結果、反射ミラーと感光体との距離を短くして、レーザスキャナユニットを感光体に近接できるという効果がある。
【図面の簡単な説明】
【図１】レーザスキャナユニットにおいて、ポリゴンミラーの反射点からレーザ光の結像位置までの距離を示す概要図である。
【図２】本発明によるレーザスキャナユニットを感光体ドラムとともに示す断面図である。
【図３】本発明によるレーザスキャナユニットと感光体ドラムとの位置決めを説明するための斜視図である。
【図４】本発明によるレーザスキャナユニットに感光体ドラムの回転軸を圧接する際の機構を説明するための概要図である。
【図５】レーザスキャナユニットから出射されたレーザ光の光路長さを説明するための概要図である。
【図６】レーザスキャナユニットと感光体ドラムとの配置関係にずれが生じた際の光路差を説明するための概要図である。
【図７】従来のレーザスキャナユニットの一例を示す斜視図である。
【図８】図７に示すレーザスキャナユニットの本体フレームへの取り付けを示す斜視図である。
【符号の説明】
１４  ポリゴンミラー
１５，１６  ｆ−θレンズ
１７，３６，３７  反射ミラー
３１  ＬＳＵ（レーザスキャナユニット）フレーム
３２，３３  室
３５  ポリゴンモータ
４１  上カバー
４２  下カバー
４３  感光体ドラム
５１  リブ部材
５２  ドラムユニットフレーム
５３  ロック機構部材
【図１】
2004226585.tif 000003
【図２】
2004226585.tif 000004
【図３】
2004226585.tif 000005
【図４】
2004226585.tif 000006
【図５】
2004226585.tif 000007
【図６】
2004226585.tif 000008
【図７】
2004226585.tif 000009
【図８】
2004226585.tif 000010